(57)【要約】      （修正有）【課題】天井への照明装置用無線ＬＡＮ通信装置の取り付けが容易な取付装置を提供する。【解決手段】天井に開口部６を設け、開口部に器具支持基材１０が配置される。器具支持基材と天井側との間には器具支持基材を天井側に解除可能に保持するための保持手段１６が設けられている。この保持手段による器具支持基材に対する保持状態を解除することにより器具支持基材は天井の開口部からその下方側に離脱可能となる。器具支持基材には照明器具２２と無線ＬＡＮ通信装置２が取り付けられている。【選択図】図１
0003188160.tif 000002
【実用新案登録請求の範囲】
【請求項１】
天井に開口部を設け、該開口部に器具支持基材を配置し、該器具支持基材と前記天井側との間に器具支持基材を天井側に解除可能に保持する保持手段を設け、該保持手段による保持状態を解除することにより前記器具支持基材を前記開口部からその下方側に離脱可能とし、前記器具支持基材に無線ＬＡＮ通信装置を取り付けたことを特徴とする無線ＬＡＮ通信装置の取付装置。
【請求項２】
前記器具支持基材の一方を前記天井側に対して回転自在に連結し、該回転部を支点として前記器具支持基材を前記開口部からその下方側に離脱可能としたことを特徴とする請求項１に記載の無線ＬＡＮ通信装置の取付装置。
【請求項３】
前記保持手段の保持解除操作のための操作部を天井の下側から操作可能な位置に設けたことを特徴とする請求項１に記載の無線ＬＡＮ通信取付装置の取付装置。
【請求項４】
前記天井に、前記開口部の上方に位置して取付枠を設け、該取付枠と前記器具支持基材との間に器具支持基材を天井側に解除可能に保持する保持手段を設けたことを特徴とする請求項１に記載の無線ＬＡＮ通信装置の取付装置。
【請求項５】
天井に開口部を設け、該開口部に器具支持基材を配置し、該器具支持基材と前記天井側との間に器具支持基材を天井側に解除可能に保持する保持手段を設け、該保持手段による保持状態を解除することにより前記器具支持基材を前記開口部からその下方側に離脱可能とし、前記器具支持基材に照明器具と無線ＬＡＮ通信装置を取り付けたことを特徴とする無線ＬＡＮ通信装置を備えた照明装置の取付装置。
【請求項６】
前記器具支持基材の一方を前記天井側に対して回転自在に連結し、該回転部を支点として前記器具支持基材を前記開口部からその下方側に離脱可能としたことを特徴とする請求項５に記載の無線ＬＡＮ通信装置を備えた照明装置の取付装置。
【請求項７】
前記回転部を脱着自在とし、前記器具支持基材を前記天井側から取り外し可能としたことを特徴とする請求項６に記載の無線ＬＡＮ 通信装置を備えた照明装置の取付装置。
【請求項８】
前記保持手段の解除操作部を天井の下側から操作可能な位置に設けたことを特徴とする請求項５に記載の無線ＬＡＮ通信装置を備えた照明装置の取付装置。
【請求項９】
前記天井に、前記開口部の上方に位置して取付枠を設け、該取付枠と前記器具支持基材との間に器具支持基材を天井側に解除可能に保持する保持手段を設けたことを特徴とする請求項５に記載の無線ＬＡＮ通信装置を備えた照明装置の取付装置。
【請求項１０】
前記照明器具は、発光ダイオードを用いた照明器具であることを特徴とする請求項５に記載の無線ＬＡＮ通信装置を備えた照明装置の取付装置。
【請求項１１】
前記無線ＬＡＮ通信装置を前記器具支持基材の下面に、前記照明器具の設置場所を外して設置したことを特徴とする請求項５に記載の無線ＬＡＮ通信装置を備えた照明装置の取付装置。
【請求項１２】
前記無線ＬＡＮ通信装置を前記器具支持基材の上面に設け、該無線ＬＡＮ通信装置のアンテナを器具支持基材の下面側に突出配置し、該アンテナの位置が前記器具支持基材の下面に設置された照明器具の設置場所から外れていることを特徴とする請求項５に記載の無線ＬＡＮ通信装置を備えた照明装置の取付装置。
【請求項１３】
前記器具支持基材を、照明器具が取り付けられるとともに天井側に支持される領域と、該領域に対して揺動自在な一部領域とで構成し、前記保持手段は、前記器具支持基材の一部領域を天井側に解除可能に保持するようにし、該保持手段による保持状態を解除することにより前記器具支持基材の一部領域を前記開口部からその下方側に離脱可能とし、該一部領域に無線ＬＡＮ通信装置を取り付けたことを特徴とする請求項５に記載の無線通信装置を備えた照明装置の取付装置。
【請求項１４】
前記照明器具及び無線ＬＡＮ通信装置への電源供給は、照明器具用給電配電及び/又はＬＡＮケーブルから供給されるようにしたことを特徴とする請求項５に記載の無線ＬＡＮ通信装置を備えた照明装置の取付装置。
【考案の詳細な説明】
【技術分野】
【０００１】
本考案は、天井への無線ＬＡＮ通信装置の取付装置及び該無線ＬＡＮ通信装置を一体的に備えた照明装置の天井への取付装置に関する。
【背景技術】
【０００２】
天井に取り付けた照明装置において、該照明装置に該照明装置から離間する外部端末との間で通信が可能な無線ＬＡＮ通信装置を設けることは従来知られている（例えば特許文献１参照）。
【先行技術文献】
【特許文献】
【０００３】
【特許文献１】特許第５２０８９７８号公報
【考案の概要】
【考案が解決しようとする課題】
【０００４】
照明装置に無線ＬＡＮ通信装置を取り付けるものにおいては、天井裏での取り付けや配線などの作業があり取り付けが面倒である。また、通信装置のメンテナンスも同様に天井裏での作業を伴い面倒である。
本考案は、上記問題点を解決することを目的とする。
【課題を解決するための手段】
【０００５】
上記目的を達成するため、本考案は、天井に開口部を設け、該開口部に器具支持基材を配置し、該器具支持基材と前記天井側との間に器具支持基材を天井側に解除可能に保持する保持手段を設け、該保持手段による保持状態を解除することにより前記器具支持基材を前記開口部からその下方側に離脱可能とし、前記器具支持基材に無線ＬＡＮ通信装置を取り付けたことを特徴とする。
また本考案は、前記器具支持基材の一方を前記天井側に対して回転自在に連結し、該回転部を支点として前記器具支持基材を前記開口部からその下方側に離脱可能としたことを特徴とする。
また本考案は、前記回転部を脱着自在とし、前記器具支持基材を前記天井側から取り外し可能としたことを特徴とする。
また本考案は、前記保持手段の保持解除操作のための操作部を天井の下側から操作可能な位置に設けたことを特徴とする。
また本考案は、前記天井に、前記開口部の上方に位置して取付枠を設け、該取付枠と前記器具支持基材との間に器具支持基材を天井側に解除可能に保持する保持手段を設けたことを特徴とする。
また本考案は、天井に開口部を設け、該開口部に器具支持基材を配置し、該器具支持基材と前記天井側との間に器具支持基材を天井側に解除可能に保持する保持手段を設け、該保持手段による保持状態を解除することにより前記器具支持基材を前記開口部からその下方側に離脱可能とし、前記器具支持基材に照明器具と無線ＬＡＮ通信装置を取り付けたことを特徴とする。
また本考案は、前記照明器具は、発光ダイオードを用いた照明器具であることを特徴とする。
また本考案は、前記無線ＬＡＮ通信装置を前記器具支持基材の下面に、前記照明器具の設置場所を外して設置したことを特徴とする。
また本考案は、前記無線ＬＡＮ通信装置を前記器具支持基材の上面に設け、該無線ＬＡＮ通信装置のアンテナを器具支持基材の下面側に突出配置し、該アンテナの位置が前記器具支持基材の下面に設置された照明器具の設置場所から外れていることを特徴とする。
また本考案は、前記器具支持基材を、照明器具が取り付けられるとともに天井側に支持される領域と、該領域に対して揺動自在な一部領域とで構成し、前記保持手段は、前記器具支持基材の一部領域を天井側に解除可能に保持するようにし、該保持手段による保持状態を解除することにより前記器具支持基材の一部領域を前記開口部からその下方側に離脱可能とし、該一部領域に無線ＬＡＮ通信装置を取り付けたことを特徴とする。
また本考案は、前記照明器具及び無線ＬＡＮ通信装置への電源供給は、照明器具用給電配電及び/又はＬＡＮケーブルから供給されるようにしたことを特徴とするものである。
【考案の効果】
【０００６】
本案では開閉により天井より下に作業面が出てくるので、無線ＬＡＮ通信装置の天井への取り付け、取り外しが簡単であり、配線も容易に行うことができる。
また、部屋での照明器具の設置場所にそのまま設置が可能なので、新規で天井に穴を開ける工事などをする必要もなく、装置を置き換えるだけで必要な場所に設置が可能である。また、ＬＥＤ照明を使用する場合には、蛍光灯と違いノイズなどの影響も受けず快適な無線通信が可能である。
しかも照明器具全体を取り外さなくて取り付けることが可能になる。
【図面の簡単な説明】
【０００７】
【図１】本考案の説明図である。
【図２】本考案の説明図である。
【図３】本考案の説明図である。
【図４】本考案の他の実施形態を示す説明図である。
【図５】本考案の他の実施形態を示す説明図である。
【図６】本考案の他の実施形態を示す説明図である。
【図７】本考案の他の実施形態を示す説明図である。
【図８】本考案の他の実施形態を示す説明図である。
【図９】本考案の他の実施形態を示す説明図である。
【図１０】本考案の他の実施形態を示す説明図である。
【考案を実施するための形態】
【０００８】
図１乃至図３は、本発明に係る天井への無線ＬＡＮ通信装置の取付装置の第１の実施形態を示している。図１は、パソコンや高機能携帯電話やタブレット端末などこれら外部端末に対して基地局として機能する無線ＬＡＮアクセスポイント又はこれと同機能の装置からなる無線ＬＡＮ通信装置２が建物の部屋の天井４に取り付けられた状態を示している。天井４の、照明装置配置部には、開口部６が形成されている。
【０００９】
天井４の裏側には、開口部６の上部に位置して取付枠８が配置され、該取付枠８のフランジ部がボルトとナットによって天井２の開口部６の縁部に固定されている。天井４の裏側には、給配電配線やＬＡＮケーブル等が配置されている。前記開口部６には、これを塞ぐ外形を有する箱状の器具支持基材１０が配置され、該器具支持基材１０の一方側は、回転自在型連結機構１２を介して取付枠８の一方の取付片８ａに揺動自在に連結している。
【００１０】
前記連結機構１２は、器具支持基材１０を床面に対して垂直な平面内で回転中心軸１４を中心として揺動自在に支持している。前記器具支持基材１０の他方と取付枠８の他方の下部に形成された取付片８ｂとの間には、解除可能な保持機構１６が設けられ、器具支持基材１０の他方は、保持機構１６を介して、取付枠８の取付片８ｂに解除可能に固定されている。保持機構１６は、取付片８ｂとこれに重なる器具支持基材１０の他方の縁部１０ａに形成された貫通孔にボルト２０が挿入され、取付片８ｂに固定されたナット１８にボルト２０がねじ込まれた構成となっている。
【００１１】
該ボルト２０は、保持機構１６を、天井４の下側から固定、固定解除のための操作をするための操作部を構成している。器具支持基材１０の上板部１０ｉの下面側には、照明器具２２が取り付けられている。器具支持基材１０と照明器具２２は、全体として照明装置１１を構成する。また、器具支持基材１０の上板部１０ｉの上面には、無線ＬＡＮ通信装置２が脱着可能に取りつけられている。
【００１２】
器具支持基材１０には、アンテナ挿入孔が形成され、器具支持基材１０の上板部１０ｉの上面側に配置された無線ＬＡＮ通信装置２のアンテナ２４が前記挿入孔に挿入され、器具支持基材１０の上板部１０ｉの下方に突出するように構成されている。アンテナ２４は、器具支持基材１０の上板部１０ｉの下面側の照明器具２２に重ならないようにこれに対して適宜の間隔を存して、照明器具２２に隣接する位置に配置されている。
【００１３】
器具支持基材１０の上板部１０ｉの上面に配置された無線ＬＡＮ通信装置２は、これに形成された取付片２ａと、器具支持基材１０側とにそれぞれ形成された貫通孔に挿入されたボルト２６と、これにねじ込まれたナット２８とで、器具支持基材１０に解除可能に固定されている。本実施形態では、照明器具２２は、光源としてＬＥＤ（発光ダイオード）を使用している。
【００１４】
照明器具２２と無線ＬＡＮ通信装置２は、天井４の裏側に配置された照明器具給電用の器具と電線を介して接続し、更に無線ＬＡＮ通信装置２は、ＬＡＮケーブル（図示省略）に接続している。無線ＬＡＮ通信装置２への電源の供給は、照明器具２２用の電源供給部からでも、又、ＬＡＮケーブルなどから供給されるようにしても良い。
【００１５】
照明器具２２と無線ＬＡＮ通信装置２に接続する電線やＬＡＮケーブルは、通信装置２のメンテナンスなどにおいて、器具支持基材１０を、下向きに揺動したとき、該器具支持基材１０を引っ張り、この揺動を阻止することがないように、弛みを有して、天井４の裏側に配置されている。尚、上記回転自在型連結機構１２と、解除可能な保持機構１６の構造は、ボルト、ナットやビスなどの構造やバネなどの圧縮する圧力に対してはめ込むような構造ほか、種々の構造を採用することができ、特に図示する構造に限定されるものではない。
【００１６】
また、連結機構１２と保持機構１６は、器具支持基材１０を、天井側に、その開口部６からその下方側に離脱可能に、保持する保持手段を構成している。また、無線ＬＡＮ通信装置２は、本実施形態では外部アンテナ接続型を用いたが、アンテナ内蔵型でも良い。図３は、照明装置１１に無線ＬＡＮ通信装置２を取り付けていない状態を示している。
【００１７】
この状態から器具支持基材１０に無線ＬＡＮ通信装置２を取り付けるには、天井４の下側からボルト２０（操作部）を操作してボルト２０をナット１８から外し、保持機構１６による器具支持基材１０の固定を解除する。なおナット１８はボルト２０を回した時に一緒に回転しないように、固着または埋め込みなどの方法により取付片８ｂに固定されている。このとき、器具支持基材１０がすぐに落下しないように一時的に器具支持基材１０の他方を支持する機構を設けても良い。またボルト２０を外してもすぐに落ちないように、仮止めの機構を設けておいて、それを解除しないと下に落ちないような構造を用いても良い。
【００１８】
次に、図２に示すように、器具支持基材１０を回転中心軸１４を中心として垂直方向に揺動し、開口部６を開き、器具支持基材１０の上面を、天井４の下側に位置する作業者に開放する。
作業者は、無線ＬＡＮ通信装置２を器具支持基材１０の上面側に位置させ、そのアンテナ２４を基材１０のアンテナ挿入孔に挿入する。
【００１９】
次に、ボルト２６を取付片２ａと基材１０のボルト挿入口に挿入して、ナット２８をボルト２６にねじ込み、無線ＬＡＮ通信装置２を器具支持基材１０の上面に固定する。更に、開口部６から延びているＬＡＮケーブル（図示省略）や給電線の端子を無線ＬＡＮ通信装置２の対応する接続口に結合して、信号用と電力供給のための配線を行う。
【００２０】
次に、作業者は手操作で器具支持基材１０を水平方向に押し上げ、縁部１０ａを、取付片８ｂに合わせる。縁部１０ａ側の孔と取付片８ｂ側の孔にボルト２０を挿入し予め取付片８ｂに固定してあるナット１８にボルト２０をねじ込んで、器具支持基材１０の他方を取付枠８の取付片８ｂに固定する。これで天井４の開口部６は、照明装置１１で閉じられ、天井４への、無線ＬＡＮ通信装置２の取り付け作業が完了する。
【００２１】
無線ＬＡＮ通信装置２のメンテナンスを行う場合には、作業者が手操作で、保持機構１６の操作部であるボルト２０を操作して器具支持基材１０の他方の、天井４側に対する固定を解除し、器具支持基材１０を軸１４を中心として垂直方向に揺動して、開口部６を開き、器具支持基材１０の無線ＬＡＮ通信装置２取付側を開放し、該開放状態で、無線ＬＡＮ通信装置２に対して修繕その他の保守作業を行う。
【００２２】
次に、図４及び図５を参照して本考案の他の実施形態について説明する。
照明装置１１の器具支持基材１０は、第１支持部１０ｂと、これと一体的な側板部１０ｃと、これと一体的な一方側縁部１０ｄと、第１支持部１０ｂに回転自在に連結する第２支持部１０ｅと、これと一体的な接合部１０ｆと、側板部１０ｇと、これと一体的な接合部１０ｈと、側板部１０ｇの下部に一体的に形成された他方側縁部１０ａとから構成されている。
【００２３】
第１支持部１０ｅと一体的な縁部１０ｄは、取付枠８の取付片８ａに固定され、第１支持部１０ｅは天井４の開口部６に、天井４に対して平行に設定されている。側板部１０ｇと一体的な縁部１０ａは、取付枠８の取付片８ｂに固定されている。第２支持部１０ｅの一方は床面に対して垂直な平面内で回転中心軸３０を中心として回転自在な構成となっている。
【００２４】
接合部１０ｆ，１０ｈには、これらを重ねたとき、同一垂直軸線上となるようにボルト挿入孔が穿設され、これにボルト３４が貫通配置され、該ボルト３４を、天井４の下側から、接合部１０ｈに固定されたナット３２にねじ込み可能となっている。ボルト３４とナット３２は、天井４側の側板部１０ｇと支持基材１０の第２支持部１０ｅの他方との間に解除可能な保持機構を構成し、ボルト３４は、該保持機構を固定及び固定解除操作するための操作部を構成している。
【００２５】
第２支持部１０ｅには、無線ＬＡＮ通信装置２を取り付けるためのボルト孔３６が穿設され、且つ、通信装置２の接続口にＬＡＮケーブルや電線の端子を導くための穴（図示省略）が穿設されている。照明器具２２は、器具支持基材１０の第１支持部１０ｂの下面に固定配置されている。本実施形態の他の構成は、図１に示す実施形態と同一である。
【００２６】
照明装置１１の器具支持基材１０の下面に、無線ＬＡＮ通信装置２を取り付ける場合には、作業者が、天井４の下側から手操作でボルト３４を操作し、第２支持部１０ｅの他方と側板部１０ｇとの固定を外し、第２支持部１０ｅを図５に示すように回転中心軸３０を中心として垂直方向に揺動する。該状態で、無線ＬＡＮ通信装置２を第２支持部１０ｅの下面に配置し、第２支持部１０ｅのボルト挿入孔３６と、無線ＬＡＮ通信装置２に一体的な取付片２ａ側のボルト挿入孔にボルト３８を通し、該ボルト３８にナット４０をねじ込んで無線ＬＡＮ通信装置２を第２支持部１０ｅの下面に固定する。
【００２７】
更に、天井４の裏側に配置されたＬＡＮケーブル（図示省略）及び給電線の端子を、第２支持部１０ｅに形成した穴から無線ＬＡＮ通信装置２の対応する接続口に結合する。次に、第２支持部１０ｅの他方を水平方向に揺動して、接合部１０ｆと１０ｈを合わせ、ボルト３４を接合部１０ｆと１０ｈのボルト挿入孔に挿入し、ボルト３４をナット３２にねじ込んで、第２支持部１０ｅの他方を天井４側の側板部１０ｇに固定する。これにより開口部６が閉じられ、照明装置１１の器具支持基材１０の下面への無線ＬＡＮ通信装置２の取り付けが完了する。
【００２８】
無線ＬＡＮ通信装置２のメンテナンスを行う場合には、作業者が天井４の下側から手操作で、ボルト３４を操作し、器具支持基材１０の第２支持部１０ｅの他方の固定を解除し、器具支持基材１０の第２支持部１０ｅを開口部６から離脱する下向き垂直方向に揺動し、その上面配線側を作業者側に開放し、該開放状態で、無線ＬＡＮ通信装置２に対して修繕その他の保守作業を行う。
【００２９】
図６及び図７は、照明装置１１の照明器具２２と無線ＬＡＮ通信装置２との配置状態を示している。器具支持基材１０の下面側に照明器具２２と無線ＬＡＮ通信装置２を取り付ける場合には、図６及び図７に示すように、互いに重ならないように配置するが、この配置は種々の配置とすることができる。無線ＬＡＮ通信装置２を、第１の実施形態のように、器具支持基材１０の上板部１０ｉの上面側に取り付ける場合には、照明器具２と通信装置２のアンテナとが、器具支持基材１０の上板部１０ｉの下面側で重ならないように配置すれば良く、この場合には、上面側と下面側の照明器具と通信装置が部分的に重なっても良い。なお図４，図５に示す第２支持部１０ｅはこの照明器具が配置されない部分に設ける事が可能である。
【００３０】
図８乃至図９は、本発明の他の実施形態を示している。
照明装置１１の照明器具（図示省略）を支持する箱状の器具支持基材１０の上板部１０ｉの上面に無線ＬＡＮ通信装置２が脱着可能に配置固定され、該器具支持基材１０の上板部１０ｉの下方にアンテナ２４が突出している。天井４に、開口部６が形成され、その上に位置して、天井４に取付枠８が固定されている。
【００３１】
器具支持基材１０の一方にはフック４２が突設され、該フック４２は、取付枠８の側部に形成された穴４４に遊嵌配置されている。前記フック４２と穴４４は天井４側と、器具支持基材１０との間に設けられた回転自在型連結機構４６を構成している。器具支持基材１０の上板部１０ｉの複数箇所には、ビス穴が穿設され、これに取付ビス４８が挿入されている。
【００３２】
各取付ビス４８は、取付枠８の上板部１０ｉに形成された穴を通じて、取付枠８の上板部の上面に固着されたナット５０にねじ込まれている。器具支持基材１０は、取付枠８に、前記取付ビス４８によって、開口部６を塞ぐ位置に天井４に対して水平に支持されている。前記取付ビス４８とナット５０は、解除可能な保持機構を構成し、取付ビス４８の頭部４８ａは、保持機構の保持及び保持解除操作のための操作部を構成している。
【００３３】
この操作部は、天井４の下側から作業者が操作することができる。上記連結機構４６と保持機構は、器具支持基材１０を、開口部６からその下方側に離脱可能に保持する保持手段を構成している。器具支持基材１０の上板部１０ｉに取り付けられた照明器具（図示省略）は、天井４の裏側に配置された給電用の器具と電線を介して接続し、また、無線ＬＡＮ通信装置２は、ＬＡＮケーブル５０に接続している。器具支持基材１０は、図８に示す、天井４に水平に保持され開口部６を塞いだ使用状態から図９に示す、開口部６から離脱する垂直方向に揺動することができる。
【００３４】
器具支持基材１０を、図９に示す垂直状態に揺動することで、器具支持基材１０の無線ＬＡＮ通信装置２が取り付けられた上面側を天井４の下側に位置する作業者に対して開放状態とすることができ、無線ＬＡＮ通信装置２のメンテナンス作業を容易に行うことができる。器具支持基材１０を、図８に示す保持状態から、保持状態を解除し、揺動可能状態とするには、まず、取付ビス４８の頭部４８ａである保持及び解除のための操作部を天井４の下側から作業者が回転操作して取付ビス４８をナット５０から外す。
【００３５】
これにより、器具支持基材１０は、連結機構４６の穴４４を支点として垂直方向に揺動可能な状態となる。該状態でメンテナンスが完了したところで、器具支持基材１０を水平に持ち上げ、取付ビス４８を器具支持基材１０の上板部１０ｉの穴に挿入するとともに、ナット５０にねじ込む。これにより、器具支持基材１０は、天井４側に保持される。
【００３６】
また、無線ＬＡＮ通信装置２を照明装置１１より取り外すような場合にはフック４２を外して照明装置１１を天井４から取り外すことができるので違う場所での作業もでき、また無線ＬＡＮ通信装置を備えた照明装置即ち器具支持基材１０を、天井４に取り付ける場合には、図１０に示すように器具支持基材１０をフック４２を上にして、天井４の開口部６の下方に持ち来たし、フック４２を穴４４に引っ掛ける。次に、天井４の裏側に配置されている電源供線電線を照明器具と無線ＬＡＮ通信装置２に接続するとともに、ＬＡＮケーブル５０を無線ＬＡＮ通信装置２に接続する。次に、器具支持基材１０を開口部６を塞ぐ位置まで押し上げ、取付ビス４８をナット５０にねじ込めば、器具支持基材１０は、天井４に保持される。
本案の装置では、天井裏に直接無線ＬＡＮ通信装置が表出するのでなく、照明装置用の階層構造の中に設けているので、天井裏に直接おく場合などに比べて埃などの影響を受けることが少ない。なお特にそのような構造でなくても良いので、天井裏側に直接設けても問題は無い。
【符号の説明】
【００３７】
２      通信装置
２ａ    取付片
４      天井
６      開口部
８      取付枠
８ａ    取付片
８ｂ    取付片
１０    器具支持基材
１０ａ  縁部
１１    照明装置
１２    回転自在型連結機構
１４    軸
１６    保持機構
１８    ナット
２０    ボルト
２２    照明器具
２４    アンテナ
２６    ボルト
２８    ナット
３０    軸
３２    ナット
３４    ボルト
３６    ボルト孔
３８    ボルト
４０    ナット
４２    フック
４４    穴
４６    連結機構
４８    取付ビス
４８ａ  頭部
５０    ナット
５２    ＬＡＮケーブル
【図１】
0003188160.tif 000003
【図２】
0003188160.tif 000004
【図３】
0003188160.tif 000005
【図４】
0003188160.tif 000006
【図５】
0003188160.tif 000007
【図６】
0003188160.tif 000008
【図７】
0003188160.tif 000009
【図８】
0003188160.tif 000010
【図９】
0003188160.tif 000011
【図１０】
0003188160.tif 000012